(57)【要約】【課題】部品点数を増加させることなく、モータポンプを強固に保持することができ、且つモータポンプの組み付け作業性が良好なウインドウウォッシャタンクの提供。【解決手段】タンク本体２は、モータポンプ２０の吸入管が挿入されて取り付けられる取付穴７を有し、合わせ割り型を用いたブロー成形により形成される。バンド部３は、基端９とバンド本体１０と係止部１１とを有し、タンク本体２の外面に一体形成され、取付穴７に取り付けられたモータポンプ２０の外周面上を巻回可能である。基端９は、タンク本体２の外面のうち合わせ割り型の型合わせ面が形成するパーティングライン３５上に配置され、このパーティングライン３５に沿った横幅を有する。バンド本体１０は、基端９から型合わせ面に沿って形成される。係止部４は、バンド本体１０の先端に形成され、モータポンプ２０を巻回したバンド部３の係止部１１と係合可能である。【選択図】図２
2008100637.tif 000002
【特許請求の範囲】
【請求項１】
モータポンプの吸入管が挿入されて取り付けられる取付穴を有し、合わせ割り型を用いたブロー成形により形成されるタンク本体と、
前記タンク本体の外面のうち前記合わせ割り型の型合わせ面が形成するパーティングライン上に配置され該パーティングラインに沿った横幅を有する基端と、この基端から前記型合わせ面に沿って形成されるバンド本体と、このバンド本体の先端に形成される係止部とを有し、前記タンク本体の外面に一体形成され、前記取付穴に取り付けられた前記モータポンプの外周面上を巻回可能な薄板状のバンド部と、
前記タンク本体の外面に一体形成され、前記モータポンプを巻回した前記バンド部の係止部と係合可能な係合部と、を備えた
ことを特徴とする車両用のウインドウウォッシャタンク。
【請求項２】
請求項１に記載のウインドウウォッシャタンクであって、
前記タンク本体が車体側に固定された状態で、前記パーティングラインは上下方向に延び、
前記取付穴は、前記タンク本体の底部の近傍に配置され、
前記バンド部の基端は、前記取付穴よりも上方に配置され、
前記取付穴には、縦長状の前記モータポンプの下部から突出する前記吸入管が挿入され、
前記バンド部は、起立状態で前記取付穴に取り付けられた前記モータポンプの上部の外周面上を巻回する
ことを特徴とする車両用のウインドウウォッシャタンク。
【請求項３】
請求項１又は請求項２に記載のウインドウウォッシャタンクであって、
前記バンド本体の表面及び裏面の少なくとも一方は、該バンド本体の屈曲変形を助成する複数の溝部を有し、
前記複数の溝部は、前記バンド本体の幅方向にそれぞれ延び、且つ該バンド本体の長手方向に並んで配置されている
ことを特徴とする車両用のウインドウウォッシャタンク。
【請求項４】
請求項１〜請求項３の何れかに記載のウインドウウォッシャタンクであって、
前記タンク本体の外面は、角部を形成する第１及び第２の外面と、前記角部よりも内側へ凹むように前記第１の外面と前記第２の外面とを連続させるポンプ収容面と、を含み、
前記取付穴は、前記ポンプ収容面に形成されている
ことを特徴とする車両用のウインドウウォッシャタンク。
【発明の詳細な説明】
【技術分野】
【０００１】
本発明は、車両用のウインドウウォッシャタンクに関する。
【背景技術】
【０００２】
実開平７−２７９６９号公報には、タンク本体のポンプ取付部に貫通状に挿入されることによりモータポンプが組み付けられるウインドウウォッシャタンクが記載されている。この取付部は、凹溝部とこの凹溝部の両開口端間を架橋状に連結する連結架橋部とによって構成されている。
【０００３】
【特許文献１】実開平７−２７９６９号公報
【発明の開示】
【発明が解決しようとする課題】
【０００４】
上記ウインドウウォッシャタンクでは、連結架橋部が凹溝部の両開口端間を架橋状に連結するため、取付部がリング形状を有する。このため、モータポンプをタンク本体に組み付ける際に、タンク本体の取付穴にモータポンプの吸入管を挿入すると共に、リング形状の取付部にモータポンプを挿入しなければならず、組み付け作業が煩雑である。また、吸入管の長さや大きさによっては、組付けが難しい場合がある。
【０００５】
ここで、組み付け作業性を考慮した構造として、タンク本体に取り付けられたモータポンプの外周面上を巻回可能なバンド部材を別途タンク本体の凹溝部の開口端縁に取り付けるものが考えられる。
【０００６】
しかし、上記構造では、別途バンド部材を取り付けなければならないため、部品点数の増加や組み付け工数の増加を招く。
【０００７】
そこで、本発明は、部品点数を増加させることなく、モータポンプを強固に保持することができ、且つモータポンプの組み付け作業性が良好なウインドウウォッシャタンクの提供を目的とする。
【課題を解決するための手段】
【０００８】
上記目的を達成すべく、本発明の車両用のウインドウウォッシャタンクは、タンク本体と薄板状のバンド部と係合部とを備える。タンク本体は、モータポンプの吸入管が挿入されて取り付けられる取付穴を有し、合わせ割り型を用いたブロー成形により形成される。バンド部は、基端とバンド本体と係止部とを有し、タンク本体の外面に一体形成され、取付穴に取り付けられたモータポンプの外周面上を巻回可能である。基端は、タンク本体の外面のうち合わせ割り型の型合わせ面が形成するパーティングライン上に配置され、このパーティングラインに沿った横幅を有する。バンド本体は、基端から型合わせ面に沿って形成される。係止部は、バンド本体の先端に形成され、モータポンプを巻回したバンド部の係止部と係合可能である。
【０００９】
上記構成では、バンド部及び係合部がタンク本体と一体形成されるので、部品点数の増加を伴うことなく、吸入管を中心としたモータポンプの回転をバンド部によって阻止することができ、モータポンプを強固に保持することができる。
【００１０】
また、モータポンプをウインドウウォッシャタンクに組み付ける場合、モータポンプの吸入管をポンプ本体の取付穴に挿入して取り付け、取り付けられたモータポンプの外周面上にバンド部を巻回し、バンド部の係止部をタンク本体の係合部に係合させる。このように、吸入管を取付穴に挿入した後にバンド部をモータポンプに巻回すればよいので、作業性が良い。
【００１１】
さらに、バンド部の基端は、タンク本体の外面のうち合わせ割り型の型合わせ面が形成するパーティングライン上に配置され、このパーティングラインに沿った横幅を有し、バンド本体は、基端から型合わせ面に沿って形成される。すなわち、合わせ割り型の型合わせ面を利用してバンド部を形成しているので、合わせ割り型の分割数を最小限に抑えることができ、ウインドウウォッシャタンクの製造コストの増大を抑えることができる。
【００１２】
また、タンク本体が車体側に固定された状態で、パーティングラインは上下方向に延びてもよく、取付穴は、タンク本体の底部の近傍に配置されてもよく、バンド部の基端は、取付穴よりも上方に配置されてもよい。取付穴には、縦長状のモータポンプの下部から突出する吸入管が挿入されてもよく、バンド部は、起立状態で取付穴に取り付けられたモータポンプの上部の外周面上を巻回してもよい。
【００１３】
上記構成では、取付穴がタンク本体の底部の近傍に配置されているので、タンク本体内のウインドウウォッシャ液の残量が少なくなった場合であっても、吸入管からモータポンプへウインドウウォッシャ液を供給することができる。
【００１４】
また、バンド部は、起立状態で取付穴に取り付けられたモータポンプの上部の外周面上を巻回するので、下部の吸入管を中心としたモータポンプの回転をバンド部によって確実に阻止することができる。
【００１５】
また、バンド本体の表面及び裏面の少なくとも一方は、バンド本体の屈曲変形を助成する複数の溝部を有してもよく、複数の溝部は、バンド本体の幅方向にそれぞれ延び、且つバンド本体の長手方向に並んで配置されてもよい。
【００１６】
上記構成では、バンド本体の幅方向にそれぞれ延び、且つバンド本体の長手方向に並んで配置された複数の溝部によってバンド本体の屈曲変形が助成されるので、タンク本体に所定の剛性が要求されることから自ずと所定の剛性を有するバンド本体を、容易に且つ的確にモータポンプの外周面上に巻回することができる。
【００１７】
さらに、タンク本体の外面は、角部を形成する第１及び第２の外面と、角部よりも内側へ凹むように第１の外面と第２の外面とを連続させるポンプ収容面と、を含んでもよく、取付穴は、ポンプ収容面に形成されてもよい。
【００１８】
上記構成では、角部よりも内側に凹むポンプ収容面上にモータポンプが取り付けられるので、モータポンプを組み付けた場合のデッドスペースを少なく抑えることができる。従って、全体のコンパクト化が可能となり、周りの空間を有効に利用することができる。
【発明の効果】
【００１９】
本発明によれば、部品点数を増加させることなく、ウインドウウォッシャタンクにモータポンプを強固に保持することができる。また、モータポンプの組み付け作業性も良好である。
【発明を実施するための最良の形態】
【００２０】
以下、本発明の第１実施形態を図面に基づいて説明する。
【００２１】
図１は、本実施形態のウインドウウォッシャタンクを上方から視た平面図、図２は、図１のウインドウウォッシャタンクの要部外観斜視図、図３は、図１のタンク本体のブロー成形に用いられる合わせ割り型を模式的に示す断面図、図４は、図１のバンド部のバンド本体の拡大側面図である。なお、図２では、吸入管２２、送出管２３及びカプラ２４の図示を省略している。
【００２２】
図１及び図２に示すように、樹脂製のウインドウウォッシャタンク１は、タンク本体２とバンド部３と係合部４とを備える。
【００２３】
タンク本体２の内部には、ウインドウウォッシャ液を収容する内部空間５が区画形成されている。タンク本体２の一側面（第１の外面）６には、内部空間５のウインドウウォッシャ液を外部へ送出するためのモータポンプ２０が組み付けられる。
【００２４】
モータポンプ２０は、縦長円柱状のポンプ本体２１と、ポンプ本体２１の下部の側面から横方向へ突出する吸入管２２と、ポンプ本体２１の側面から吸入管２２と異なる方向へ突出する送出管２３と、ポンプ本体２１の上部に固定された端子接続用のカプラ２４とを備える。ポンプ本体２１は、吸入管２２から吸入したウインドウウォッシャ液を送出管２３から送出する。
【００２５】
タンク本体２の第１の外面６には取付穴７が形成されている。取付穴７は、タンク本体２の底部８の近傍に配置されている。モータポンプ２０の吸入管２２は、ウインドウウォッシャ液の漏れを防止するパッキング（図示省略）を介して取付穴７に嵌合され、これによりポンプ本体２１が取付穴７に支持される。
【００２６】
バンド部３は、薄板形状を有し、タンク本体２の他の側面（上記第１の外面６の一端縁から曲折された第２の外面）１２に一体形成されている。バンド部３は、第２の外面１２上の基端９と、基端９から延びるバンド本体１０と、バンド本体１０の先端に形成された係止部１１とを有する。バンド部３の基端９は、取付穴７に取り付けられた起立状態のモータポンプ２０の上部の外周面上を巻回可能なように、第２の外面１２のうち所定の位置に配置されている。
【００２７】
係合部４は、タンク本体２のさらに他の側面（上記第１の外面６の他端縁から上記第２の外面１２と同方向に曲折された外面）１５に一体形成されている。係合部４は、取付穴７に取り付けられた起立状態のモータポンプ２０を巻回したバンド部３の係止部１１と係合可能な位置に配置されている。
【００２８】
図４に示すように、バンド本体１０の裏面（モータポンプ２０（図１に示す）と接触する面）には、バンド本体１０の屈曲変形を助成する複数の溝部１４が形成されている。複数の溝部１４は、バンド本体１０の幅方向にそれぞれ延び、且つバンド本体１０の長手方向に並んで配置されている。なお、これに代えて又は加えて、バンド本体１０の表面（モータポンプ２０（図１に示す）に巻回された状態で外部に露出する面）に複数の溝部を形成してもよい。
【００２９】
タンク本体２はブロー成形により形成され、この成形時にバンド部３及び係合部４もタンク本体２と一体形成される。
【００３０】
図３に示すように、ブロー成形に使用される合わせ割り型は、第１の型３０と第２の型３１とを備える。第２の型３１は、係止部１１及び係合部４を形成するための補助型３２，３３を含む。
【００３１】
第１の型３０と第２の型３１の型合わせ面３４は、タンク本体２の外面にパーティングライン３５（図２に示す）を形成する。このパーティングライン３５は、合わせ割り型の型割り方向３６とほぼ直交する。
【００３２】
バンド部３の基端９は、タンク本体２の外面のパーティングライン３５上に配置され、このパーティングライン３５に沿った横幅を有する。すなわち、バンド部３の横幅方向はパーティングライン３５と一致し、バンド本体１０はパーティングライン３５に対してほぼ垂直方向に延びる。バンド本体１０は、基端９から型合わせ面３４に沿って形成され、係止部１１は、バンド本体１０の先端に形成される。
【００３３】
図２に示すように、タンク本体２は、取付穴７が下方に位置するように車体側に固定される。この状態で、パーティングライン３５は上下方向に延び、バンド部３の基端９は、取付穴７よりも上方に配置される。また、取付穴７に取り付けられたモータポンプ２０は上下方向に沿って起立する。
【００３４】
本実施形態によれば、モータポンプ２０をウインドウウォッシャタンク１に組み付ける場合、モータポンプ２０の吸入管２２をポンプ本体２の取付穴７に嵌合して固定した後、モータポンプ２０の外周面上にバンド部３（バンド本体１０）を巻回し、バンド部３の係止部１１をタンク本体２の係合部４に係合させる。従って、吸入管２２を中心としたモータポンプ２の回転がバンド部３によって阻止され、モータポンプ２０が強固に保持される。
【００３５】
また、吸入管２２を取付穴７に挿入した後にバンド部３をモータポンプ２０に巻回すればよいので、組み付け作業性が良い。
【００３６】
また、ウインドウウォッシャ液が充填されるタンク本体２には所定の剛性が要求されるため、バンド本体１０も自ずと所定の剛性を有し、薄肉状であっても曲折変形し難い。この点に関し、本実施形態では、屈曲変形を助成する複数の溝部１４をバンド本体１０に形成しているので、所定の剛性を有するバンド本体１０をモータポンプ２０の外周面に沿って容易に且つ的確に巻回することができる。
【００３７】
また、バンド部３及び係合部４がタンク本体２と一体形成されるので、部品点数の増加を伴うことなく、吸入管２２を中心としたモータポンプ２０の回転をバンド部３によって阻止することができ、モータポンプ２０を強固に保持することができる。
【００３８】
さらに、バンド部３は、取付穴７に取り付けられた起立状態のモータポンプ２０の上部の外周面上を巻回するので、下部の吸入管２２を中心としたモータポンプ２０の回転をバンド部３によって確実に阻止することができる。
【００３９】
また、取付穴７がタンク本体２の底部８の近傍に配置されているので、タンク本体２内のウインドウウォッシャ液の残量が少なくなった場合であっても、吸入管２２からモータポンプ２０へウインドウウォッシャ液を供給することができる。
【００４０】
また、バンド部３の基端９は、タンク本体２の外面のうち合わせ割り型（第１及び第２の型３０，３１）の型合わせ面３４が形成するパーティングライン３５上に配置され、このパーティングライン３５に沿った横幅を有し、バンド本体１０は、基端９から型合わせ面３４に沿って形成される。すなわち、合わせ割り型の型合わせ面３４を利用してバンド部３を形成しているので、合わせ割り型の分割数を最小限に抑えることができ、ウインドウウォッシャタンクの製造コストの増大を抑えることができる。
【００４１】
次に、本発明の第２実施形態を図５〜図７に基づいて説明する。
【００４２】
図５は、本実施形態のウインドウウォッシャタンクを上方から視た平面図、図６は、図５のウインドウウォッシャタンクの要部外観斜視図、図７は、図５のタンク本体のブロー成形に用いられる合わせ割り型を模式的に示す断面図である。なお、上記第１実施形態と同様の部分には、同一の符号を付してその説明を省略する。また、図６では、吸入管２２、送出管２３及びカプラ２４の図示を省略している。
【００４３】
本実施形態は、タンク本体２に対するモータポンプ２０の位置が上記第１実施形態と相違する。すなわち、図５及び図６に示すように、ウインドウウォッシャタンク１６のタンク本体２の外面は、角部１７を形成する第１及び第２の外面６，１２と、角部１７よりも内側へ凹むように第１の外面６と第２の外面１２とを連続させる第１及び第２のポンプ収容面１８，１９と、を含む。第１のポンプ収容面１８は第１の外面６から曲折し、第２のポンプ収容面１９は第２の外面１２から曲折する。取付穴７は、２つのポンプ収容面１８，１９のうち、第２のポンプ収容面１９の下部に形成されている。
【００４４】
また、図７に示すように、ブロー成形に使用される合わせ割り型のうち、第２の型３１が第１及び第２の収容面１８，１９を形成する。バンド部３の基端９は、第２の外面１２と第２のポンプ収容面１９との間の角部近傍に配置され、バンド部３の裏面は第２の収容面１９から連続してほぼ直線状に延びる。
【００４５】
本実施形態によれば、上記第１実施形態の効果に加えて、角部１７よりも内側に凹む第２のポンプ収容面１９上にモータポンプ２０が取り付けられるので、モータポンプ２０を組み付けた場合のデッドスペースを少なく抑えることができる。従って、全体のコンパクト化が可能となり、ウインドウウォッシャタンク１６の周りの空間を有効に利用することができる。
【００４６】
なお、上述の実施形態は本発明の一例である。このため、本発明は上述の実施形態に限定されることはなく、本発明に係る技術的思想を逸脱しない範囲であれば、上述の実施形態以外であっても種々の変更が可能であることは勿論である。例えば、タンク本体２の形状やモータポンプ２０の形状やタンク本体２に対するモータポンプ２０の位置やバンド本体１０の溝部１４の形状などは、適宜変更可能である。
【産業上の利用可能性】
【００４７】
本発明は、車両に搭載されるウインドウウォッシャタンクに適用可能である。
【図面の簡単な説明】
【００４８】
【図１】本発明の第１実施形態のウインドウウォッシャタンクを上方から視た平面図である。
【図２】図１のウインドウウォッシャタンクの要部外観斜視図である。
【図３】図１のタンク本体のブロー成形に用いられる合わせ割り型を模式的に示す断面図である。
【図４】図１のバンド部のバンド本体の拡大側面図である。
【図５】本発明の第２実施形態のウインドウウォッシャタンクを上方から視た平面図である。
【図６】図５のウインドウウォッシャタンクの要部外観斜視図である。
【図７】図５のタンク本体のブロー成形に用いられる合わせ割り型を模式的に示す断面図である。
【符号の説明】
【００４９】
１：ウインドウウォッシャタンク
２：タンク本体
３：バンド部
４：係合部
６：一側面（第１の外面）
７：取付穴
９：基部
１０：バンド本体
１１：係止部
１２：他の側面（第２の外面）
１４：溝部
１７：角部
１８：第１のポンプ収容面
１９：第２のポンプ収容面
２０：モータポンプ
２１：ポンプ本体
２２：吸入管
３５：パーティングライン
【図１】
2008100637.tif 000003
【図２】
2008100637.tif 000004
【図３】
2008100637.tif 000005
【図４】
2008100637.tif 000006
【図５】
2008100637.tif 000007
【図６】
2008100637.tif 000008
【図７】
2008100637.tif 000009